(57)【特許請求の範囲】
【請求項１】
画像処理対象物の描画内容を画像読取装置に読取らせて、該読取結果を、クライアント端末による読取結果の取得が不可能な第１の記憶手段に記憶させる読取制御手段と、
タッチパネル方式の表示装置から入力された第１の電子メールアドレスと、前記読取結果の送信先が画像形成装置と同じイントラネット上であることを示す第１の送信先情報、又は、前記読取結果の送信先がインターネットを介すことにより前記画像形成装置とは異なるイントラネット上であることを示す第２の送信先情報、のいずれかと、を関連付けて第２の記憶手段に登録する登録手段と、
前記第２の記憶手段に登録される第１の電子メールアドレスのドメイン名が、既に前記第１の電子メールアドレスとして第２の記憶手段に登録された直前の第２の電子メールアドレスのドメイン名と一致している場合に、前記第２の電子メールアドレスに関連付けられていた前記第１の送信先情報又は前記第２の送信先情報のいずれかを、前記第１の電子メールアドレスに割り当て、前記第２の記憶手段に登録される第１の電子メールアドレスのドメイン名が、既に前記第１の電子メールアドレスとして第２の記憶手段に登録された直前の第２の電子メールアドレスのドメイン名と不一致である場合であって、前記画像形成装置に割り当てられたドメイン名とも相違する場合に、前記第２の送信先情報を、前記第１の電子メールアドレスに割り当てる割当手段と、
前記読取結果の送信先が前記第２の送信先情報である場合には、前記第１の記憶手段から、前記クライアント端末による前記読取結果の取得が可能なサーバ装置に前記読取結果を転送し、前記読取結果の送信先が前記第１の送信先情報である場合には、前記読取結果の転送を中止する転送手段と、
前記読取結果の送信先が前記第２の送信先情報である場合に、前記サーバ装置のＵＲＬに応じた前記読取結果の記憶先を生成する生成手段と、
前記生成手段によって生成された前記記憶先を前記クライアント端末に送信する送信手段と、
を有することを特徴とする画像処理装置。
【請求項２】
画像処理対象物の描画内容を読取る画像読取装置と、
画像処理対象物の描画内容を前記画像読取装置に読取らせて、該読取結果を、クライアント端末による読取結果の取得が不可能な第１の記憶手段に記憶させる読取制御手段、タッチパネル方式の表示装置から入力された第１の電子メールアドレスと、前記読取結果の送信先が画像形成装置と同じイントラネット上であることを示す第１の送信先情報、又は、前記読取結果の送信先がインターネットを介すことにより前記画像形成装置とは異なるイントラネット上であることを示す第２の送信先情報、のいずれかと、を関連付けて第２の記憶手段に登録する登録手段、前記第２の記憶手段に登録される第１の電子メールアドレスのドメイン名が、既に前記第１の電子メールアドレスとして第２の記憶手段に登録された直前の第２の電子メールアドレスのドメイン名と一致している場合に、前記第２の電子メールアドレスに関連付けられていた前記第１の送信先情報又は前記第２の送信先情報のいずれかを、前記第１の電子メールアドレスに割り当て、前記第２の記憶手段に登録される第１の電子メールアドレスのドメイン名が、既に前記第１の電子メールアドレスとして第２の記憶手段に登録された直前の第２の電子メールアドレスのドメイン名と不一致である場合であって、前記画像形成装置に割り当てられたドメイン名とも相違する場合に、前記第２の送信先情報を、前記第１の電子メールアドレスに割り当てる割当手段、前記読取結果の送信先が前記第２の送信先情報である場合には、前記第１の記憶手段から、前記クライアント端末による前記読取結果の取得が可能なサーバ装置に前記読取結果を転送し、前記読取結果の送信先が前記第１の送信先情報である場合には、前記読取結果の転送を中止する転送手段、前記読取結果の送信先が前記第２の送信先情報である場合に、前記サーバ装置のＵＲＬに応じた前記読取結果の記憶先を生成する生成手段、及び、前記生成手段によって生成された前記記憶先を前記クライアント端末に送信する送信手段を具備する画像処理装置と、
を有することを特徴とする画像形成装置。
【請求項３】
コンピュータを、
画像処理対象物の描画内容を画像読取装置に読取らせて、該読取結果を、クライアント端末による読取結果の取得が不可能な第１の記憶手段に記憶させる読取制御手段、
タッチパネル方式の表示装置から入力された第１の電子メールアドレスと、前記読取結果の送信先が画像形成装置と同じイントラネット上であることを示す第１の送信先情報、又は、前記読取結果の送信先がインターネットを介すことにより前記画像形成装置とは異なるイントラネット上であることを示す第２の送信先情報、のいずれかと、を関連付けて第２の記憶手段に登録する登録手段、
前記第２の記憶手段に登録される第１の電子メールアドレスのドメイン名が、既に前記第１の電子メールアドレスとして第２の記憶手段に登録された直前の第２の電子メールアドレスのドメイン名と一致している場合に、前記第２の電子メールアドレスに関連付けられていた前記第１の送信先情報又は前記第２の送信先情報のいずれかを、前記第１の電子メールアドレスに割り当て、前記第２の記憶手段に登録される第１の電子メールアドレスのドメイン名が、既に前記第１の電子メールアドレスとして第２の記憶手段に登録された直前の第２の電子メールアドレスのドメイン名と不一致である場合であって、前記画像形成装置に割り当てられたドメイン名とも相違する場合に、前記第２の送信先情報を、前記第１の電子メールアドレスに割り当てる割当手段、
前記読取結果の送信先が前記第２の送信先情報である場合には、前記第１の記憶手段から、前記クライアント端末による前記読取結果の取得が可能なサーバ装置に前記読取結果を転送し、前記読取結果の送信先が前記第１の送信先情報である場合には、前記読取結果の転送を中止する転送手段、
前記読取結果の送信先が前記第２の送信先情報である場合に、前記サーバ装置のＵＲＬに応じた前記読取結果の記憶先を生成する生成手段と、
前記生成手段によって生成された前記記憶先を前記クライアント端末に送信する送信手段、
として機能させることを特徴とする画像処理プログラム。
【発明の詳細な説明】
【技術分野】
【０００１】
本発明は、画像処理装置、画像形成装置及び画像処理プログラムに関する。
【背景技術】
【０００２】
特許文献１では、スキャナ機能で読取った画像（以下、読取画像という。）を保持し、その読取画像の取得を希望する登録された利用者のクライアント端末等に対し、保持先を示すＵＲＩ（Uniform Resource Identifier）を通知する画像処理装置を具備するデジタル複合機（以下、画像形成装置という。）が開示されている。通知を受けたクライアント端末を利用する利用者は、ＵＲＩにアクセスすることで、読取画像の内容を把握したり、必要に応じて、ダウンロードしたりする。
【特許文献１】特開２００５−２７８１６１号公報
【発明の開示】
【発明が解決しようとする課題】
【０００３】
本発明は、画像形成装置へのアクセス制限がかけられたネットワーク環境にあるクライアント端末であっても、読取画像の内容の把握等を可能にする画像処理装置を提供することを目的とする。
【課題を解決するための手段】
【０００４】
請求項１に記載の発明は、画像処理対象物の描画内容を画像読取装置に読取らせて、該読取結果を、クライアント端末による読取結果の取得が不可能な第１の記憶手段に記憶させる読取制御手段と、タッチパネル方式の表示装置から入力された第１の電子メールアドレスと、読取結果の送信先が画像形成装置と同じイントラネット上であることを示す第１の送信先情報、又は、読取結果の送信先がインターネットを介すことにより画像形成装置とは異なるイントラネット上であることを示す第２の送信先情報、のいずれかと、を関連付けて第２の記憶手段に登録する登録手段と、第２の記憶手段に登録される第１の電子メールアドレスのドメイン名が、既に第１の電子メールアドレスとして第２の記憶手段に登録された直前の第２の電子メールアドレスのドメイン名と一致している場合に、第２の電子メールアドレスに関連付けられていた第１の送信先情報又は第２の送信先情報のいずれかを、第１の電子メールアドレスに割り当て、第２の記憶手段に登録される第１の電子メールアドレスのドメイン名が、既に第１の電子メールアドレスとして第２の記憶手段に登録された直前の第２の電子メールアドレスのドメイン名と不一致である場合であって、画像形成装置に割り当てられたドメイン名とも相違する場合に、第２の送信先情報を、第１の電子メールアドレスに割り当てる割当手段と、読取結果の送信先が第２の送信先情報である場合には、第１の記憶手段から、クライアント端末による読取結果の取得が可能なサーバ装置に読取結果を転送し、読取結果の送信先が第１の送信先情報である場合には、読取結果の転送を中止する転送手段と、読取結果の送信先が第２の送信先情報である場合に、サーバ装置のＵＲＬに応じた読取結果の記憶先を生成する生成手段と、生成手段によって生成された記憶先をクライアント端末に送信する送信手段と、を有することを特徴とする画像処理装置である。
【０００８】
請求項２に記載の発明は、画像処理対象物の描画内容を読取る画像読取装置と、画像処理対象物の描画内容を画像読取装置に読取らせて、該読取結果を、クライアント端末による読取結果の取得が不可能な第１の記憶手段に記憶させる読取制御手段、タッチパネル方式の表示装置から入力された第１の電子メールアドレスと、読取結果の送信先が画像形成装置と同じイントラネット上であることを示す第１の送信先情報、又は、読取結果の送信先がインターネットを介すことにより画像形成装置とは異なるイントラネット上であることを示す第２の送信先情報、のいずれかと、を関連付けて第２の記憶手段に登録する登録手段、第２の記憶手段に登録される第１の電子メールアドレスのドメイン名が、既に第１の電子メールアドレスとして第２の記憶手段に登録された直前の第２の電子メールアドレスのドメイン名と一致している場合に、第２の電子メールアドレスに関連付けられていた第１の送信先情報又は第２の送信先情報のいずれかを、第１の電子メールアドレスに割り当て、第２の記憶手段に登録される第１の電子メールアドレスのドメイン名が、既に第１の電子メールアドレスとして第２の記憶手段に登録された直前の第２の電子メールアドレスのドメイン名と不一致である場合であって、画像形成装置に割り当てられたドメイン名とも相違する場合に、第２の送信先情報を、第１の電子メールアドレスに割り当てる割当手段、読取結果の送信先が第２の送信先情報である場合には、第１の記憶手段から、クライアント端末による読取結果の取得が可能なサーバ装置に読取結果を転送し、読取結果の送信先が第１の送信先情報である場合には、読取結果の転送を中止する転送手段、読取結果の送信先が第２の送信先情報である場合に、サーバ装置のＵＲＬに応じた読取結果の記憶先を生成する生成手段、及び、生成手段によって生成された記憶先をクライアント端末に送信する送信手段を具備する画像処理装置と、を有することを特徴とする画像形成装置である。
【０００９】
請求項３に記載の発明は、コンピュータを、画像処理対象物の描画内容を画像読取装置に読取らせて、該読取結果を、クライアント端末による読取結果の取得が不可能な第１の記憶手段に記憶させる読取制御手段、タッチパネル方式の表示装置から入力された第１の電子メールアドレスと、読取結果の送信先が画像形成装置と同じイントラネット上であることを示す第１の送信先情報、又は、読取結果の送信先がインターネットを介すことにより画像形成装置とは異なるイントラネット上であることを示す第２の送信先情報、のいずれかと、を関連付けて第２の記憶手段に登録する登録手段、第２の記憶手段に登録される第１の電子メールアドレスのドメイン名が、既に第１の電子メールアドレスとして第２の記憶手段に登録された直前の第２の電子メールアドレスのドメイン名と一致している場合に、第２の電子メールアドレスに関連付けられていた第１の送信先情報又は第２の送信先情報のいずれかを、第１の電子メールアドレスに割り当て、第２の記憶手段に登録される第１の電子メールアドレスのドメイン名が、既に第１の電子メールアドレスとして第２の記憶手段に登録された直前の第２の電子メールアドレスのドメイン名と不一致である場合であって、画像形成装置に割り当てられたドメイン名とも相違する場合に、第２の送信先情報を、第１の電子メールアドレスに割り当てる割当手段、読取結果の送信先が第２の送信先情報である場合には、第１の記憶手段から、クライアント端末による読取結果の取得が可能なサーバ装置に読取結果を転送し、読取結果の送信先が第１の送信先情報である場合には、読取結果の転送を中止する転送手段、読取結果の送信先が第２の送信先情報である場合に、サーバ装置のＵＲＬに応じた読取結果の記憶先を生成する生成手段と、生成手段によって生成された記憶先をクライアント端末に送信する送信手段、として機能させることを特徴とする画像処理プログラムである。
【発明の効果】
【００１０】
請求項１に係る発明によれば、画像形成装置へのアクセス制限がかけられたネットワーク環境にあるクライアント端末であっても、サーバ装置から読取画像の内容を把握できる。
【００１４】
請求項２に係る発明によれば、画像形成装置へのアクセス制限がかけられたネットワーク環境にあるクライアント端末であっても、読取画像の内容を把握できる。
【００１５】
請求項３に係る発明によれば、画像形成装置へのアクセス制限がかけられたネットワーク環境にあるクライアント端末であっても、読取画像の内容を把握できる。
【発明を実施するための最良の形態】
【００１６】
以下、本発明の実施形態について、図面を参照して具体的に説明する。
図１は本発明の実施形態に係る画像形成装置が適用可能な画像処理システムの構成図、図２は画像形成装置の要部構成を示す機能ブロック図、図３は画像処理装置のハードウェア構成を示すブロック図である。
【００１７】
画像処理システムは、図１に示すように、メールサーバ１００、ＰＣ２００ａ、２００ｂ、ファイアウォール３００ａ、３００ｂ、ファイルサーバ４００、デジタル複合機６００等から構成される。これらは、ケーブルやネットワーク機器等で構成されるイントラネット５００ａ、５００ｂやインターネット（公衆通信網）５００ｃを介して互いに接続される。
【００１８】
尚、イントラネット５００ａ、５００ｂは、有線による通信に限られず、無線通信等によって通信されるようにしてもよい。また、図１において、メールサーバ１００、ファイアウォール３００ａは、デジタル複合機６００と別体となって記載されているが、これらの装置は、全部又はその一部が、デジタル複合機６００に一体形成されていてもよい。
【００１９】
メールサーバ１００は、電子メールの送受信に関する機能を有するサーバ装置である。メールサーバ１００は、例えばデジタル複合機６００から電子メールを受信した場合に、その宛先（メールアドレス）に基づいて、ＰＣ２００ａやＰＣ２００ｂ等に電子メールを送信したり、ＰＣ２００ａから受信した電子メールをイントラネット５００ａ、５００ｂやインターネット５００ｃを介してＰＣ２００ｂに送信したりする。
【００２０】
ＰＣ２００ａは、本発明のクライアント端末の一例であって、液晶ディスプレイやＣＲＴディスプレイ等のＰＣ用表示装置２１０ａ、キーボードやマウス等のＰＣ用入力装置２２０ａ、これらの動作を制御するコンピュータ２３０ａ等で構成される。コンピュータ２３０ａは、利用者からのＰＣ用入力装置２２０ａへの操作に応じて電子メールを生成し、さらに、当該電子メールに対してＰＣ用入力装置２２０ａから送信指示があると、その指示に応じてメールサーバ１００に送信される。尚、図１においては、１台のＰＣ２００ａが記載されているが、複数台であってもよく、同様の機能を有するものであれば、ＰＤＡ（Personal Digital Assistant）等であってもよい。また、ＰＣ２００ｂにおいて、ＰＣ２００ａと同様の構成には、その構成に相当する符号を付し、その説明を省略する。
【００２１】
ファイアウォール３００ａは、例えばデジタル複合機６００等とインターネット５００ｃとの間に設置される通信制御装置である。ファイアウォール３００ａは、自身になされる設定値に応じて、ファイアウォール３００ａを経由する各種情報を透過させたり、遮断したりする。これにより、例えばＰＣ２００ｂがデジタル複合機６００との接続（アクセス）を要求しても、ファイアウォール３００ａに各種情報を遮断する設定がなされている場合には、ＰＣ２００ｂはデジタル複合機６００に接続できなくなる。尚、当該ファイアウォール３００ａは必須の構成要件ではなく、必要に応じて設置すればよい。また、ファイアウォール３００ｂは、ファイアウォール３００ａと同様の機能を有するため、その説明を省略する。
【００２２】
ファイルサーバ４００は、本発明のサーバ装置の一例であって、例えばデジタル複合機６００から送信される画像情報を受信して、逐次、記憶したり、ＰＣ２００ｂから当該画像情報のＰＣ２００ｂへの送信要求があった場合には、適宜、その画像情報を送信したりする。また、ファイルサーバ４００は、認証機能を備えており、ＰＣ２００ｂから画像情報の送信要求があった場合には、当該要求が正当な要求であるか否かを判断する。当該判断は、例えば利用者識別情報やパスワード等をもって行われる。ＰＣ２００ｂから送信された利用者識別情報等が、ファイルサーバ４００に予め記憶される利用者識別情報等と一致する場合には、画像情報の送信要求は正当であると判断し、画像情報の送信処理を行う。尚、ファイルサーバ４００に記憶される利用者識別情報等は、ファイルサーバ４００を管理する管理者等によって、適宜、設定される。また、認証機能はファイルサーバ４００と別体となったサーバ装置等に組み込まれていてもよい。
【００２３】
デジタル複合機６００は、本発明の画像形成装置の一例であって、図２に示すように、表示装置６１０、印刷装置６２０、画像読取装置６３０、Ｉ／Ｆ（インタフェース）６４０、画像処理装置６５０等を備える機器である。尚、デジタル複合機６００には、印刷装置６２０等に限られず、複写装置や光学的に文字を読取る処理を行うＯＣＲ(Optical Character Reader)装置等、画像処理に関する機能を適宜備えることができる。以下において、デジタル複合機６００の各装置について詳細に説明する。
【００２４】
表示装置６１０は、例えば液晶ディスプレイ等で構成され、画像処理に関する操作内容や読取画像の送信先が表示される。また、各装置に応じた動作が終了した場合には、その旨を表示する。表示装置６１０が例えばタッチパネル方式で構成されている場合には、画像読取処理や印刷処理等の指示が画像処理装置６５０に与えられる。この場合には、利用者は表示装置６１０を操作して、読取画像の送信先を指定することができる。
【００２５】
印刷装置６２０は、いわゆるプリンタエンジンであって、レーザー光源、帯電器、反射ミラー、トナーカートリッジ等で構成される。例えばデジタル複合機６００に文書等がセットされ、利用者から表示装置６１０に対して印刷処理を行う旨の指示があった場合に、印刷装置６２０は、画像処理装置６５０の制御にしたがって、当該文書の複写物を出力する。尚、印刷装置６２０は、必須の構成要件ではなく、必要に応じて、組み込めばよい。
【００２６】
画像読取装置６３０は、画像処理対象物となる記録用紙の描画内容を光学的に読取る装置であって、例えばスキャナ装置、より詳しくは、レンズ、リニアＣＣＤ（Charge Coupled Device）、ランプ等を搭載したキャリッジで構成される。描画内容には例えば文字、図形、記号等がある。画像読取装置６３０は、表示装置６１０からの指示を受信した画像処理装置６５０からの制御にしたがって、当該キャリッジが移動し、デジタル複合機６００にセットされた文書の描画内容を光学的に読取る。画像読取装置６３０は読取結果を画像情報として画像処理装置６５０に送信する。尚、画像処理対象物は、紙に限られず金属やプラスチック等であってもよい。
【００２７】
Ｉ／Ｆ６４０は、デジタル複合機６００の内部の装置と外部の装置との入出力をインタフェースである。したがって、デジタル複合機６００から送信される電子メールや画像情報は、Ｉ／Ｆ６４０を通じて行われる。
【００２８】
画像処理装置６５０は、上述した表示装置６１０、印刷装置６２０、その他デジタル複合機６００の有する各装置の動作を制御する。画像処理装置６５０は、コンピュータ、すなわち、図３に示すように、ＣＰＵ６５０ａ等の処理装置、ＳＲＡＭ(Static Random Access Memory)、ＤＲＡＭ(Dynamic RAM)やＳＤＲＡＭ（Synchronous DRAM）、ＮＶＲＡＭ（Non Volatile RAM）等のＲＡＭ６５０ｂ、フラッシュメモリ等のＲＯＭ(Read Only Memory)６５０ｃ、表示装置６１０、画像読取装置６３０等の外部装置との入出力を行うＩ／Ｆ６５０ｄ等がバス６５０ｅにより接続されたハードウェア構成により実現される。
【００２９】
したがって、ＣＰＵ６５０ａがＲＯＭ６５０ｃに格納された所要のプログラムを読み込み、当該プログラムに従った演算を行うことにより、画像処理装置６５０内の各機能が実現される。また、上述したメールサーバ１００、コンピュータ２３０ａ、２３０ｂ、ファイアウォール３００ａ、３００ｂ、ファイルサーバ４００等についても同様の構成を有する。尚、このようなプログラムとしては、後述するフローチャートに応じたプログラムとすることができる。
【００３０】
ここで、画像処理装置６５０について図４及び図５を参照してさらに詳しく説明する。
図４は画像処理装置６５０の要部構成を示す機能ブロック図、図５は送信先情報記憶部の記憶内容を示すテーブルである。
【００３１】
画像処理装置６５０は、図４に示すように、入力制御部６５１、読取制御部６５２、画像情報記憶部６５３、送信先情報登録部６５４、送信先情報記憶部６５５、送信先情報判別部６５６、自ドメイン記憶部６５７、ＵＲＬ取得部６５８、ＵＲＩ生成部６５９、メール生成部６６０、メール送信部６６１、画像転送部６６２、印刷制御部６６３等から構成される。
【００３２】
入力制御部６５１は、表示装置６１０から得られる指示に応じて、読取制御部６５２や印刷制御部６６３等を機能させたり、表示装置６１０から入力される電子メールアドレスやＵＲＩ生成内容等の入力値を送信先情報として送信先情報登録部６５４に送信したりする。例えば、表示装置６１０からデジタル複合機６００にセットされた文書を読取る旨の指示を受信した場合には、その旨を読取制御部６５２に送信する。
【００３３】
読取制御部６５２は、本発明の読取制御手段の一例であって、入力制御部６５１からの指示に応じて、画像読取装置６３０を動作させる。また、画像読取装置６３０による読取結果となる画像情報を受信して、逐次、画像情報記憶部６５３に記憶する。
【００３４】
送信先情報登録部６５４は、入力制御部６５１から送信された送信先情報を送信先情報記憶部６５５に登録する。より詳しくは、画像処理装置６５０に対する設定値に応じて送信先情報登録部６５４の機能は変更され、例えば設定値が「手動設定」である場合には、表示装置６１０から入力される電子メールアドレスがそのまま送信先情報記憶部６５５に登録される。また、例えば設定値が「自動設定」である場合には、電子メールアドレスのドメイン名と、既に登録されている電子メールアドレスのドメイン名とを比較して、比較結果が一致しているか否かを確認し、一致している場合には、既に登録されている電子メールアドレスのＵＲＩ生成内容を、入力される電子メールアドレスのＵＲＩ生成内容として登録される。逆に、不一致である場合には、その旨が送信先情報判別部６５６に送信される。
【００３５】
具体的には、図５（ａ）に示すように、まず、画像処理装置６５０が「手動設定」となっている場合には、送信先情報登録部６５４は、入力された画像情報の送信先となる電子メールアドレス「Name1@test.our_company.co.jp」と、そのＵＲＩ生成内容「イントラネット」を登録する。また、図５（ｂ）に示すように、画像処理装置６５０が「手動設定」となっている場合には、送信先情報登録部６５４は、入力された画像情報の送信先となる電子メールアドレス「Name2@client_company.co.jp」と、そのＵＲＩ生成内容「インターネット」を登録する。
【００３６】
ここで、画像処理装置６５０が「自動設定」となった場合には、図５（ｃ）に示すように、入力された画像情報の送信先となる電子メールアドレス
「Name3@client_company.co.jp」のドメイン名「client_company.co.jp」と一致するドメイン名を有する電子メールアドレスが登録されているか否かを確認する。そして、図５（ｃ）に示すように、既に電子メールアドレス「Name2@client_company.co.jp」が登録されている場合には、そのドメイン名は一致するため、ＵＲＩ生成内容を表示装置６１０から入力しなくても、登録済の電子メールアドレスに割り当てられたＵＲＩ生成内容「インターネット」を、電子メールアドレス「Name3@client_company.co.jp」のＵＲＩ生成内容として割り当てる。
【００３７】
一方、図５（ｄ）に示すように、画像処理装置６５０が「自動設定」となった場合であっても、入力された画像情報の送信先となる電子メールアドレス「Name4@our_ company.co.jp」のドメイン名「our_company.co.jp」と一致するドメイン名を有する電子メールアドレスが登録されているか否かを確認する。この場合、図５（ｄ）に示すように、既に電子メールアドレス「Name1@test.our_company.co.jp」が登録されているが、そのドメイン名は「test.our_company.co.jp」であって不一致であるため、後述の処理に従ってＵＲＩ生成内容を割り当てる。尚、不一致である場合には、図５（ｄ）に示すように、静的に「イントラネット」としてもよい。また、ドメイン名の完全一致でなく、例えば「.co.jp」のみが一致するといったように部分的な一致によってＵＲＩ生成内容を判断するようにしてもよい。
【００３８】
送信先情報判別部６５６は、上述した電子メールアドレスのドメイン名が不一致である旨を受信すると、当該電子メールアドレスのドメイン名が自ドメイン名、すなわち、デジタル複合機６００自身に割り当てられたドメイン名か否かを判別する。当該判別は、自ドメイン名記憶部６５７に記憶されるデジタル複合機６００のドメイン名を確認することによって行われる。これにより、表示装置６１０から入力された電子メールアドレス等が送信先情報記憶部６５５に記憶されておらず、さらに、デジタル複合機６００自身のドメイン名でもない場合には、ＵＲＩ生成内容はインターネットであると判断し、当該ＵＲＩ生成内容に応じた制御をＵＲＬ取得部６５８及び画像転送部６６２を行う。
【００３９】
ＵＲＬ取得部６５８は、デジタル複合機６００自身のＵＲＬを取得したり、ファイルサーバ４００のＵＲＬを取得したりする。より詳しくは、送信先情報判別部６５６の判別結果が「インターネット」である場合に、ファイルサーバ４００のＵＲＬ
「test2.our_company.co.jp」を取得したり、「イントラネット」である場合には、自身のＵＲＬ「test3.our_company.co.jp」を取得する。
【００４０】
ＵＲＩ生成部６５９は、本発明の生成手段の一例であって、ＵＲＬ取得部６５８の取得結果に応じて、当該ＵＲＬを含むＵＲＩ情報を生成する。ＵＲＩ情報は、画像情報の記憶先を示しており、例えば、「http://test2.our_company.co.jp/cgi-
bin/shop/click3.cgi?e3txw2ujtcvL」等で表される。したがって、当該ＵＲＩ情報に接続することで、画像情報の内容の把握が可能となる。
【００４１】
メール生成部６６０は、ＵＲＩ情報が添付された電子メールを生成するとともに、当該ＵＲＩ情報の送信先となる電子メールアドレスや電子メール送信者をも生成する。当該電子メールは例えばインターネットメール形式で生成される。
【００４２】
メール送信部６６１は、本発明の送信手段の一例であって、メール生成部６６０で生成された電子メールをその宛先に従って送信する。この結果、画像情報を有するサーバ装置の宛先となるＵＲＩ情報が添付された電子メールが、ＰＣ２００ａやＰＣ２００ｂに送信される。尚、メール送信部６６１に対して、電子メール送信後に、ＰＣ２００ａ等からの接続を遮断する手段を形成するようにしてもよい。
【００４３】
画像転送部６６２は、本発明の転送手段の一例であって、送信先情報判別部６５６の制御に従って、画像情報記憶部６５３に記憶される画像情報を抽出する。すなわち、送信先情報判別部６５６の判別結果が、「インターネット」である場合には、画像情報転送部６５２はその旨を受信し、抽出した画像情報をファイルサーバ４００に送信する。また、「イントラネット」である場合には、画像情報転送部６５２はその旨を受信し、抽出作業の動作を行わなかったり、抽出した画像情報をイントラネット５００ａ上の図示しないサーバ装置等に送信したりする。
【００４４】
印刷制御部６６３は、印刷装置６２０を制御する。すなわち、表示装置６１０からの指示が印刷処理である場合には、入力制御部６５１がその旨を受信して、印刷制御部６６３を動作させ、印刷制御部６６３は、画像情報記憶部６５３から印刷すべき画像を抽出して、印刷装置６２０に当該画像を印刷させる。
【００４５】
続いて、画像処理装置の動作について図６を参照して説明する。
図６は画像処理装置の動作の一例を示すフローチャートである。
画像処理装置６５０は、まず、表示装置６１０からの画像読取指示を受信し（ステップＳ１）、デジタル複合機６００にセットされた文書等の読取処理を行う（ステップＳ２）。そして、当該文書の読取結果を画像情報として記憶する（ステップＳ３）。
【００４６】
画像処理装置６５０は、表示装置６１０からの電子メールアドレスを受信し（ステップＳ４）、自身が「手動設定」となっているか否かを判断する（ステップＳ５）。画像処理装置６５０は、自身が「手動設定」とされていると判断した場合には、表示装置６１０から入力された電子メールアドレスをそのまま登録し（ステップＳ６）。一方で、例えば「手動設定」とされていない場合には、表示装置６１０から入力された電子メールアドレスのドメイン名と、登録済電子メールアドレスのドメイン名とが一致するか否かについて判断する（ステップＳ７）。
【００４７】
画像処理装置６５０は、入力された電子メールアドレスが、登録済電子メールアドレスのドメイン名と一致していると判断した場合には、登録済電子メールアドレスに割り当てられたＵＲＩ生成内容を、入力された電子メールアドレスに割り当てる（ステップＳ８）。例えば、図５に示すように、登録済電子メールアドレスが
「Name2@client_company.co.jp」である場合に、表示装置６１０から電子メールアドレス「Name3@client_company.co.jp」が入力された場合、それぞれのドメイン名「client_company.co.jp」の一致を判断する。そして、一致していると判断した場合には、登録済電子メールアドレスのＵＲＩ生成内容「インターネット」を、入力された電子メールアドレスのＵＲＩ生成内容に割り当てる。
【００４８】
一方、画像処理装置６５０は、入力された電子メールアドレスが、登録済電子メールアドレスのドメイン名と一致していないと判断した場合には、入力された電子メールアドレスのドメイン名が自身に割り当てられたドメイン名と一致しているか否かを判断する（ステップＳ９）。そして、画像処理装置６５０は、入力された電子メールアドレスが、自ドメイン名と一致していないと判断した場合には、入力された電子メールアドレスにＵＲＩ生成内容を「インターネット」に設定し（ステップＳ１０）、一致していると判断した場合には、「イントラネット」に設定し（ステップＳ１１）、後続の処理を行う。
【００４９】
画像処理装置６５０は、電子メールアドレスに割り当てられたＵＲＩ生成内容に従って、ＵＲＬの取得処理を行う（ステップＳ１２）。すなわち、ＵＲＩ生成内容が「インターネット」である場合には、ファイルサーバ４００のＵＲＬを取得し、ＵＲＩ生成内容が「イントラネット」である場合には、自身のＵＲＬを取得する。
【００５０】
画像処理装置６５０は、次いで、画像情報の転送処理を行う（ステップＳ１３）。例えば、ＵＲＩ生成内容が「インターネット」である場合には、ファイルサーバ４００宛に画像情報の転送処理を行う。尚、当該転送処理は、ステップＳ１３の処理の前に行ってもよい。
【００５１】
画像処理装置６５０は、次いで、ＵＲＩ情報生成処理を行う（ステップＳ１４）。当該処理は、取得したＵＲＬに基づいたＵＲＩ情報を生成する処理であり、例えば、取得したＵＲＬが「http://our_company.co.jp」である場合には、これに基づいて、例えば「http://our_company.co.jp/cgi-bin/shop/click3.cgi?e3txw2ujtcvL」といったＵＲＩ情報を生成する。
【００５２】
画像処理装置６５０は、次いで、生成されたＵＲＩ情報が添付された電子メールを生成する（ステップＳ１５）。さらに、当該電子メールを生成するとともに、表示装置６１０から入力された電子メールアドレス及び送信者を割り当てる。そして、画像処理装置６５０は生成された電子メールをＰＣ２００ｂ等に送信する（ステップＳ１６）。
【００５３】
尚、本発明は、上述した実施形態に限定されるものではなく、その要旨を逸脱しない範囲内で種々変形して実施することが可能である。例えば、本発明のプログラムを通信手段により提供することはもちろん、ＣＤ−ＲＯＭ等の記録媒体に格納して提供することも可能である。
【００５４】
画像処理装置は、画像情報の転送後に、転送した画像情報を自身の記憶部から削除するようにしてもよく、これにより、デジタル複合機６００内に画像情報が蓄積されたままの状態を防ぐことになる。また、画像処理装置は、ファイルサーバ４００に保持された画像情報がＰＣ２００ｂに送信された等の情報を受信した場合に、ファイルサーバ４００に画像情報が保持されたままの状態を防ぐべく、ファイルサーバ４００内の画像情報を削除する旨の命令をファイルサーバ４００に送信するようにしてもよい。
【産業上の利用可能性】
【００５５】
以上説明したように、本発明によれば、画像形成装置へのアクセス制限がかけられたネットワーク環境にあるクライアント端末であっても、サーバ装置から読取画像の内容を把握でき、産業上の利用可能性が高い。
【図面の簡単な説明】
【００５６】
【図１】画像処理システムの構成図である。
【図２】画像形成装置の要部構成を示す機能ブロック図である。
【図３】画像処理装置のハードウェア構成を示す機能ブロック図である。
【図４】画像処理装置の要部構成を示す機能ブロック図である。
【図５】送信先情報に関するテーブルである。
【図６】画像処理装置の動作の一例を示すフローチャートである。
【符号の説明】
【００５７】
１００  メールサーバ
２００ａ、２００ｂ  ＰＣ
２１０ａ、２１０ｂ  ＰＣ用表示装置
２２０ａ、２２０ｂ  ＰＣ用入力装置
２３０ａ、２３０ｂ  コンピュータ
３００ａ、３００ｂ  ファイアウォール
４００  ファイルサーバ
５００ａ、５００ｂ  イントラネット
５００ｃ  インターネット
６００  デジタル複合機
６１０  表示装置
６２０  印刷装置
６３０  画像読取装置
６４０  Ｉ／Ｆ
６４５  バス
６５０  画像処理装置
６５０ａ  ＣＰＵ
６５０ｂ  ＲＡＭ
６５０ｃ  ＲＯＭ
６５０ｄ  Ｉ／Ｆ
６５０ｅ  バス
６５１  入力制御部
６５２  読取制御部
６５３  画像情報記憶部
６５４  送信先情報登録部
６５５  送信先情報記憶部
６５６  送信先情報判別部
６５７  自ドメイン記憶部
６５８  ＵＲＬ取得部
６５９  ＵＲＩ生成部
６６０  メール生成部
６６１  メール送信部
６６２  画像転送部
６６３  印刷制御部
【図１】
0004661834.tif 000002
【図２】
0004661834.tif 000003
【図３】
0004661834.tif 000004
【図４】
0004661834.tif 000005
【図５】
0004661834.tif 000006
【図６】
0004661834.tif 000007